(57)【要約】【課題】作業性を良好なものとすることができるカバー、及び、このカバーを備えたハウジングとカバーとの接続構造を提供する。【解決手段】カバー２は、蓋部１０と本体部９とを備える。蓋部１０の先端外面に蓋部１０と本体部９との嵌合方向に沿って内面に向かって傾斜するテーパ面２５を形成するガイド受け部１５を設ける。本体部９の先端に蓋部１０と本体部９との嵌合方向に直交して外側に突出し先端内面に蓋部１０と本体部９との嵌合方向に沿って外側に向かって傾斜するテーパ面１６を形成しガイド受け部１５の先端を案内するガイド部１４を設ける。【選択図】図１
2016103375.tif 000002
【特許請求の範囲】
【請求項１】
電線の端部に接続された端子を収容するハウジングに取り付けられ、該ハウジングから引き出された前記電線を外部に導出させる電線導出部を設ける本体部と，該本体部と嵌合可能に形成される蓋部と，を備えるカバーにおいて、
前記蓋部若しくは本体部のいずれか一方の先端外面に、前記蓋部と前記本体部との嵌合方向に沿って内面に向かって傾斜するテーパ面を形成するガイド受け部を設け、
前記蓋部若しくは前記本体部のいずれか他方の先端に、前記蓋部と前記本体部との嵌合方向に直交して外側に突出し該先端内面に前記蓋部と前記本体部との嵌合方向に沿って外側に向かって傾斜するテーパ面を形成し前記ガイド受け部の先端を案内するガイド部を設ける
ことを特徴とするカバー。
【請求項２】
請求項１に記載のカバーにおいて、
前記本体部と前記蓋部とを連結するヒンジを設け、該ヒンジの前記本体部と前記蓋部とに跨がる幅方向の一端から他端までを前記ヒンジの厚み方向に起伏する形状となるように形成する
ことを特徴とするカバー。
【請求項３】
請求項１に記載のカバーにおいて、
前記蓋部の内側に、前記本体部と前記蓋部とが嵌合したときに前記端子に設けられたゴム栓に当接する当接部を設ける
ことを特徴とするカバー。
【請求項４】
請求項１に記載のカバーにおいて、
前記カバーの前記本体部に、係合突起を設け、
前記ハウジングに、前記係合突起と係合可能に形成された被係合部を設ける
ことを特徴とするカバー。
【請求項５】
電線の端部に接続された端子を収容するハウジングを該ハウジングから引き出される前記電線を外部に導出する本体部に嵌合し、該本体部に係合する蓋部を設けるカバーと接続するハウジングとカバーとの接続構造において、
前記カバーの前記蓋部若しくは本体部のいずれか一方の先端外面に、前記蓋部と前記本体部との係合方向に沿って内面に向かって傾斜するテーパ面を形成するガイド受け部を設け、
前記蓋部若しくは前記本体部のいずれか他方の先端に、前記蓋部と前記本体部との係合方向に直交して外側に突出し該先端内面に前記蓋部と前記本体部との係合方向に沿って外側に向かって傾斜するテーパ面を形成し前記ガイド受け部の先端を案内するガイド部を設ける
ことを特徴とするハウジングとカバーとの接続構造。
【発明の詳細な説明】
【技術分野】
【０００１】
本発明は、本体部と蓋部とを備えるカバーと、このカバーを備えたハウジングとカバーとの接続構造に関する。
【背景技術】
【０００２】
従来、例えば、コネクタハウジングに装着しコネクタハウジングから引き出される電線を保護するカバーとして、特許文献１の図１に図示すような技術が用いられてきた。特許文献１の図１に図示すカバー１０は、コネクタハウジング２の電線引き出し側に装着されコネクタハウジング２から引き出された電線Ｗを電線収容室１４を通して外部に導出させる構成となっている。
【０００３】
特許文献１に開示された技術以外で、コネクタハウジングから引き出された電線を外部に導出させる構成のカバーとして、本発明者は、図１９−図２７に図示すようなカバーを考案した。
図１９−図２７に図示するコネクタ１００は、コネクタハウジング１０１と、コネクタハウジング１０１に装着されるカバー１０２と、フロントホルダ１０３と、パッキン１０４と、コルゲートチューブ１０５（図２２参照）と、端末に端子（雌端子）１０６とゴム栓１０７とを取り付けた電線１０８とを備えて構成されている。
コネクタハウジング１０１の内部には、端子１０６を収容可能に形成されたキャビティ１０９が設けられている。また、コネクタハウジング１０１の後面には、図２０に図示するように、端子挿入口１１０が開口形成されている。キャビティ１０９に端子１０６を収容すると、電線１０８は、端子挿入口１１０から外部に導出されている。端子挿入口１１０は、電線１０８の端末に取り付けられたゴム栓１０７によって封止されている。
フロントホルダ１０３は、キャビティ１０９の底壁側に設けられるフロントホルダ収容部１２４に対応した形状に形成されている。
パッキン１０４は、コネクタハウジング１０１の前面に装着可能に形成されている。
【０００４】
カバー１０２は、図１９に図示するように、本体部１１１と、蓋部１１２と、ヒンジ１１３とを備えてなり略筒状に形成されている。
本体部１１１は、図１９に図示するように、両端が開口した略筒状に形成されている。本体部１１１の後面の開口周縁には電線導出部１１５が連続して形成されている。電線導出部１１５の両側壁のそれぞれには、第１カバー係合部１１６が突出して設けられている。その他に、本体部１０２の後面の開口周縁には、第２カバー係合部１１７が設けられている。
蓋部１１２は、図１９に図示するように、断面円弧状に形成され、本体部１１１の後面を覆うことができるような形状に形成されている。蓋部１１２には、本体部１１１の第１カバー係合部１１６に係合可能な位置に配置形成された第１カバー被係合部１１８と、本体部１１１の第２カバー係合部１１７に係合可能な位置に配置形成された第２カバー被係合部１１９とが設けられている。
ヒンジ１１３は、図１９に図示するように、本体部１１１と、蓋部１１２とを連結するように形成されている。ヒンジ１１３は、本体部１１１と、蓋部１１２とを嵌合する際の回動軸として設けられている。
【０００５】
つぎに、コネクタ１００の組み立て作業の手順について説明する。
まず、コネクタハウジング１０１の端子挿入口１１０から電線１０８の端末に装着された端子１０６を挿入しキャビティ１０９に収容する。すると、端子１０６には、図２０に図示するように、キャビティ１０９に設けられたランス１２０が係合する。そして、フロントホルダ１０３を、キャビティ１０９のフロントホルダ収容部１２４に挿入する。
しかる後、カバー１０２を、図２０に図示する矢印Ａが指示する方向に移動させ、コネクタハウジング１０１をカバー１０２に挿通させる。コネクタハウジング１０１のカバー１０２に対する挿通は、図２１に図示するように、コネクタハウジング１０１の前面（図２０に図示する仮想線Ｂが示す面）に、カバー１０２の前面（図２０に図示する仮想線Ｃが示す面）が突き当たるまで行う。
【０００６】
しかる後、コネクタハウジング１０１から導出させる複数本の電線１０８を図２２に図示するように曲げ癖付けし、コルゲートチューブ１０５に挿通する。さらに、コルゲートチューブ１０５の一端をカバー１０２の本体部１１１に設けられた電線導出部１１５に組み付ける。しかる後、カバー１０２の蓋部１１２を、ヒンジ１１３を回動軸として図２２に図示する矢印Ｄが指示する方向に回動させ、本体部１１１の第１カバー係合部１１６に、蓋部１１２の第１カバー被係合部１１８を係合させ、本体部１１１の第２カバー係合部１１７に蓋部１１２の第２カバー被係合部１１９を係合させる。これにより、本体部１１１と蓋部１１２とが嵌合する。以上により、コネクタ１００の組み立て作業が完了する。
【先行技術文献】
【特許文献】
【０００７】
【特許文献１】特開２０１３−８５６１号公報
【発明の概要】
【発明が解決しようとする課題】
【０００８】
図１９−図２７に図示するコネクタには、次のような問題点があった。
まず、カバー１０２の蓋部１１２を、ヒンジ１１３を回動軸として図２２に図示する矢印Ｄが指示する方向に回動する際に、ヒンジ１１３に、図２３に図示するように、捩れが生じることがある。このようなヒンジ１１３の捩れが生じると、蓋部１１２の第１カバー被係合部１１８が、本体部１１１の第１カバー係合部１１６との正規の係合位置からズレてしまい、図２４に図示するように、蓋部１１２の第１カバー被係合部１１８の先端がコルゲートチューブ１０５に当たり易くなる。このことから、カバー１０２の本体部１１１と蓋部１１２とを嵌合する際に、作業者は、ヒンジ１１３の捩れに起因して蓋部１１２の第１カバー被係合部１１８の先端がコルゲートチューブ１０５に当たらないように配慮しながら作業を行わなければならず、作業性が悪いという問題点があった。
また、ヒンジ１１３が捩れ易いと、上記問題点の他、ヒンジ１１３が折損する等の不具合が生じるような問題点があった。
【０００９】
また、コネクタハウジング１０１のキャビティ１０９に端子１０６を挿入し、端子１０６にランス１２０を係合する際に、端子１０６が、図２５に図示するように、途中までしか挿入されず、図２０及び図２１に図示するような正規の位置に収容されないことがある。このように端子１０６が中途挿入状態であることは、コネクタハウジング１０１に対して仮係止状態にあるフロントホルダ１０６を、図２５に図示する矢印Ｆが指示する方向に押し込んだときに、フロントホルダ１０６のランス１２１の先端が、キャビティ１０９に設けられたランス１２０の先端に当接することによって検知することができるようになっている。しかしながら、このようなコネクタ１００にあっては、フロントホルダ１０６を製造しなければならず、部品点数が増加し、また、組み付けサイクルが増加することにより、コストが嵩むという問題点があった。
【００１０】
さらに、コネクタ１００を、図２６及び図２７に図示する相手コネクタ２００と嵌合させる際に、次のような問題点があった。
コネクタ１００は、コネクタハウジング１０１と、カバー１０２の本体部１１１及び蓋部１１２と間で、奥行き方向のガタが多くなっている。このため、コネクタハウジング１０１の係合アーム１２２のテーパ面１２３が雄ユニット２００のハウジングに設けられた被係合部２０１のテーパ面２０２に摺接する際の挿入力により、ガタの分、コネクタハウジング１０１が後退することになる。これにより、図２６に図示する矢印Ｇで示すガタが生じる。このようにガタＧを有したままのコネクタ１００を、相手コネクタ２００と嵌合すると、コネクタハウジング１０１の係合アーム１２２が相手コネクタ２００の被係合部２０１に係合する前に、カバー１０２の前面（図２６に図示する仮想線Ｈが示す面）が相手コネクタ２００のカバー当接面２０３に当接し、コネクタハウジング１０１の係合アーム１２２と相手コネクタ２００の被係合部２０１とは中途係合状態となってしまうような問題点があった。また、このような問題点から、相手コネクタ２００の嵌合が確実に行われず、相手コネクタ２００との嵌合が外れてしまうような問題点があった。
【００１１】
本発明は、上記した事情に鑑みてなされたもので、作業性を良好なものとすることができるカバー、及び、このカバーを備えたハウジングとカバーとの接続構造を提供することを課題とする。
【課題を解決するための手段】
【００１２】
上記課題を解決するためになされた請求項１記載の本発明のカバーは、電線の端部に接続された端子を収容するハウジングに取り付けられ、該ハウジングから引き出された前記電線を外部に導出させる電線導出部を設ける本体部と，該本体部と嵌合可能に形成される蓋部と，を備えるカバーにおいて、前記蓋部若しくは本体部のいずれか一方の先端外面に、前記蓋部と前記本体部との嵌合方向に沿って内面に向かって傾斜するテーパ面を形成するガイド受け部を設け、前記蓋部若しくは前記本体部のいずれか他方の先端に、前記蓋部と前記本体部との嵌合方向に直交して外側に突出し該先端内面に前記蓋部と前記本体部との嵌合方向に沿って外側に向かって傾斜するテーパ面を形成し前記ガイド受け部の先端を案内するガイド部を設けることを特徴とする。
【００１３】
このような特徴を有する本発明は、蓋部若しくは本体部のいずれか一方の先端外面に、ガイド受け部が設けられる。また、蓋部若しくは本体部のいずれか他方の先端に、ガイド部が設けられる。ガイド受け部は、蓋部と本体部との嵌合方向に沿って内面に向かって傾斜するテーパ面が形成されている。また、ガイド部は、蓋部と本体部との嵌合方向に直交して外側に突出し先端内面に蓋部と本体部との嵌合方向に沿って外側に向かって傾斜するテーパ面を形成している。これにより、蓋部と本体部とが嵌合する際に、ガイド部は、ガイド受け部の先端を案内する。
【００１４】
請求項２記載の本発明のカバーは、請求項１に記載のカバーにおいて、前記本体部と前記蓋部とを連結するヒンジを設け、該ヒンジの前記本体部と前記蓋部とに跨がる幅方向の一端から他端までを前記ヒンジの厚み方向に起伏する形状となるように形成することを特徴とする。
【００１５】
このような特徴を有する本発明は、ヒンジの本体部と蓋部とに跨がる幅方向の一端から他端までがヒンジの厚み方向に起伏する形状とすることでヒンジの剛性を増すことができる。また、ヒンジの本体部と蓋部とに跨がる幅方向の一端から他端までがヒンジの厚み方向に起伏する形状とすることで、このような形状に形成していないヒンジに比べて、ヒンジの全長が長くなり、応力を拡散させることができる。
【００１６】
請求項３記載の本発明のカバーは、請求項１に記載のカバーにおいて、前記蓋部の内側に、前記本体部と前記蓋部とが嵌合したときに前記端子に設けられたゴム栓に当接する当接部を設けることを特徴とする。
【００１７】
このような特徴を有する本発明は、本体部と蓋部とを嵌合すると、蓋部の内側に設けた当接部が端子に設けられたゴム栓に当接する。
【００１８】
請求項４記載の本発明のカバーは、請求項１に記載のカバーにおいて、前記カバーの前記本体部に、係合突起を設け、前記ハウジングに、前記係合突起と係合可能に形成された被係合部を設けることを特徴とする。
【００１９】
このような特徴を有する本発明は、カバーの本体部に、係合突起を設け、ハウジングに、係合突起と係合可能に形成された被係合部を設ける。このことからカバーの本体部の係合突起は、ハウジングの被係合部に係合する。
【００２０】
上記課題を解決するためになされた請求項５記載の本発明のハウジングとカバーとの接続構造は、電線の端部に接続された端子を収容するハウジングを該ハウジングから引き出される前記電線を外部に導出する本体部に嵌合し、該本体部に係合する蓋部を設けるカバーと接続するハウジングとカバーとの接続構造において、前記カバーの前記蓋部若しくは本体部のいずれか一方の先端外面に、前記蓋部と前記本体部との係合方向に沿って内面に向かって傾斜するテーパ面を形成するガイド受け部を設け、前記蓋部若しくは前記本体部のいずれか他方の先端に、前記蓋部と前記本体部との係合方向に直交して外側に突出し該先端内面に前記蓋部と前記本体部との係合方向に沿って外側に向かって傾斜するテーパ面を形成し前記ガイド受け部の先端を案内するガイド部を設けることを特徴とする。
【００２１】
このような特徴を有する本発明は、カバーの蓋部若しくは本体部のいずれか一方の先端外面に、ガイド受け部が設けられる。また、蓋部若しくは本体部のいずれか他方の先端に、ガイド部が設けられる。ガイド受け部は、蓋部と本体部との係合方向に沿って内面に向かって傾斜するテーパ面が形成されている。また、ガイド部は、蓋部と本体部との嵌合方向に直交して外側に突出し先端内面に蓋部と本体部との係合方向に沿って外側に向かって傾斜するテーパ面を形成している。これにより、ハウジングをカバーの本体部に嵌合し、蓋部と本体部とを係合する際に、ガイド部はガイド受け部の先端を案内する。
【発明の効果】
【００２２】
請求項１に記載された本発明によれば、蓋部と本体部とを嵌合する際に、ガイド部がガイド受け部の先端を案内することができることにより、蓋部の先端が電線に当たりにくくなる。このことから、カバーの本体部と蓋部とを嵌合する際に、蓋部の先端が電線に当たらないように配慮しなくても作業を行うことができる。したがって、本体部と蓋部とを嵌合する際の作業性を良好なものとすることができるという効果を奏する。
また、本発明によれば、蓋部若しくは本体部のいずれか一方にガイド受け部を設けることにより、ガイド受け部を設けない場合に比べて、ガイド受け部と蓋部若しくは本体部のいずれか一方の内面との当接面を増やすことができる。これにより、ハーネステンションが加わった時のカバーの歪みを抑制することができる。したがって、カバーの歪みによりカバーがハウジングから外れるのを防止することができるという効果を奏する。
【００２３】
請求項２に記載された本発明によれば、ヒンジの剛性が増すことにより、ヒンジの捩れを抑制し、蓋部と本体部とを正規の嵌合位置で嵌合することができる。これにより、蓋部と本体部とが嵌合する際に、蓋部の先端が電線に、より確実に当たりにくくなる。このことから、カバーの本体部と蓋部とを嵌合する際に、蓋部の先端が電線に当たらないように配慮しなくても作業を行うことができる。したがって、本体部と蓋部とを嵌合する際の作業性を、より向上することができるという効果を奏する。
また、本発明によれば、ヒンジの本体部と蓋部とに跨がる幅方向の一端から他端までがヒンジの厚み方向に起伏する形状とすることで、このような形状に形成していないヒンジに比べて、ヒンジの全長が長くなり、応力を拡散させることができる。これにより、ヒンジに歪みが生じるのを抑制することができる。したがって、ヒンジの歪みに起因して折損するのを防止することができるという効果を奏する。
【００２４】
請求項３に記載された本発明によれば、端子がハウジングのキャビティに中途挿入状態である場合、蓋部を本体部に嵌合する際に、当接部がゴム栓を押し付けるため、端子をキャビティにおける正規位置に補正することができる。したがって、端子の中途挿入を防止することができるという効果を奏する。
また、本発明によれば、蓋部を本体部に嵌合するときに、当接部がゴム栓を押しつけることにより、端子が中途挿入状態にあることを検知できるため、フロントホルダが不要となる。したがって、部品点数や組み付けサイクルを低減することにより、コストを低減することができるという効果を奏する。
さらに、本発明によれば、蓋部を本体部に嵌合すると、当接部が常にゴム栓を押しつけているため、コネクタに振動が加わってもカバーのガタ付きを防止することができる。したがって、カバーのガタ付きに起因する異音の発生を防止することができるという効果を奏する。
【００２５】
請求項４に記載された本発明によれば、カバーの本体部の係合突起は、ハウジングの被係合部に係合するため、カバーの本体部とハウジングとを仮係合状態にすることができる。これにより、奥行き方向のガタは、ハウジングとカバーの２部品間とすることができ、蓋部が本体部に嵌合されても奥行き方向のガタがさらに増えることはない。これにより、カバーの前面が相手コネクタのカバー当接面に当接してもハウジングの被係合部にはカバーの本体部の係合突起が係合しているため、ハウジングは後退することがない。したがって奥行き方向のガタを抑制することにより、コネクタの係合部を相手コネクタの被係合部に確実に係合することができるという効果を奏する。
また、本発明によれば、相手コネクタとの嵌合が確実に行われることによって、相手コネクタとの嵌合が外れてしまうことを防止することができるという効果を奏する。
【００２６】
請求項５に記載された本発明によれば、ハウジングをカバーの本体部に嵌合し蓋部と本体部とを係合する際に、ガイド部によるガイド受け部の先端の案内が可能になることから、蓋部の先端が電線に当たらないように配慮しなくてもカバーの本体部と蓋部とを係合を行うことができる。したがって、ハウジングをカバーの本体部に嵌合し蓋部と本体部とを係合する際に、カバーの本体部と蓋部との係合の作業性が良好なハウジングとカバーとの接続構造とすることができるという効果を奏する。
また、本発明によれば、蓋部若しくは本体部のいずれか一方にガイド受け部を設けることにより、ガイド受け部を設けない場合に比べて、ガイド受け部と蓋部若しくは本体部のいずれか一方の内面との当接面を増やすことができる。これにより、ハーネステンションが加わった時のカバーの歪みを抑制することができる。したがって、カバーの歪みによりカバーがハウジングから外れるのを防止することができるハウジングとカバーとの接続構造とすることができるという効果を奏する。
【図面の簡単な説明】
【００２７】
【図１】本発明のカバーを備えるコネクタの実施例１を示す分解斜視図である。
【図２】カバーとハウジングとを組み付ける作業を説明する断面図である。
【図３】カバーとハウジングとを組み付けた状態の断面図である。
【図４】カバーの本体部と蓋部とを嵌合する作業を説明するための図であって、コネクタの平面図である。
【図５】カバーの本体部と蓋部とを嵌合する作業を説明するための図であって、コネクタのカバーの蓋部側から視た側面図である。
【図６】図５のＬ−Ｌ間断面図である。
【図７】図５のＭ−Ｍ間断面図である。
【図８】カバーの本体部と蓋部とを嵌合した状態における図５のＬ−Ｌ間断面図である。
【図９】本発明のカバーの実施例２を示す図であって、（ａ）はカバーの実施例２を示す斜視図、（ｂ）は（ａ）における破線Ｎで囲んだヒンジの拡大平面図である。
【図１０】本発明のカバーの実施例３を示す斜視図である。
【図１１】カバーの本体部と蓋部の嵌合作業を説明するコネクタの断面図であって、当接部がゴム栓に当接する前の状態を示す断面図である。
【図１２】カバーの本体部と蓋部の嵌合作業を説明するコネクタの断面図であって、当接部がゴム栓に当接した状態を示す断面図である。
【図１３】カバーの本体部と蓋部の嵌合作業を説明するコネクタの断面図であって、本体部と蓋部とが嵌合した状態を示す断面図である。
【図１４】本発明のカバーを備えるコネクタの実施例４を示す分解斜視図である。
【図１５】コネクタハウジングとカバーとを組み付ける作業を説明する断面図である。
【図１６】コネクタハウジングとカバーとを組み付けた状態を示す断面図である。
【図１７】コネクタと相手コネクタとの嵌合作業を説明する断面図であって、コネクタと相手コネクタとが嵌合する前の状態を示す断面図である。
【図１８】コネクタと相手コネクタとの嵌合作業を説明する断面図であって、コネクタと相手コネクタとが嵌合した状態を示す断面図である。
【図１９】本発明の課題を説明するための図であって、コネクタの分解斜視図である。
【図２０】本発明の課題を説明するための図であって、カバーとハウジングとを組み付ける作業を説明する断面図である。
【図２１】本発明の課題を説明するための図であって、カバーとハウジングとを組み付けた状態の断面図である。
【図２２】本発明の課題を説明するための図であって、カバーの本体部と蓋部とを嵌合する作業を説明するコネクタの平面図である。
【図２３】本発明の課題を説明するための図であって、コネクタのカバーの蓋部側から視た側面図である。
【図２４】本発明の課題を説明するための図であって、図２３のＥ−Ｅ間断面図である。
【図２５】本発明の課題を説明するための図であって、（ａ）は端子の中途挿入状態を検知する方法を説明する断面図、（ｂ）は（ａ）におけるキャビティとその周辺の部分の拡大断面図である。
【図２６】本発明の課題を説明するための図であって、コネクタと相手コネクタとが嵌合する前の状態を示す断面図である。
【図２７】本発明の課題を説明するための図であって、コネクタと相手コネクタとが嵌合した状態を示す断面図である。
【発明を実施するための形態】
【００２８】
以下、図１−図８を参照しながら、本発明に係るカバーの実施例１について、また、図９を参照しながら、本発明に係るカバーの実施例２について、また、図１０−図１３を参照しながら、本発明に係るカバーの実施例３について、さらに、図１４−図１８を参照しながら、本発明に係るカバーの実施例４について、それぞれ説明する。
【実施例１】
【００２９】
以下、図面を参照しながら実施例１を説明する。図１は本発明のカバーを備え、且つ、本発明のハウジングとカバーとの接続構造が適用されるコネクタの実施例１を示す分解斜視図、図２はカバーとハウジングとを組み付ける作業を説明する断面図、図３はカバーとハウジングとを組み付けた状態の断面図、図４はカバーの本体部と蓋部とを嵌合する作業を説明するための図であって、コネクタの平面図、図５はカバーの本体部と蓋部とを嵌合する作業を説明するための図であって、コネクタのカバーの蓋部側から視た側面図、図６は図５のＬ−Ｌ間断面図、図７は図５のＭ−Ｍ間断面図、図８はカバーの本体部と蓋部とを嵌合した状態における図５のＬ−Ｌ間断面図である。
なお、図中の矢印は、前後、上下、左右の各方向を示している（矢印の各方向は一例であるものとする）。
【００３０】
図１において、引用符号１は、本発明のハウジングとカバーとの接続構造が適用されるコネクタを示している。コネクタ１は、特に限定するものではないが、本実施例では、雌コネクタであるものとする。
コネクタ１は、本発明に係るカバー２と、ハウジング３と、フロントホルダ４と、フロントホルダ４と、パッキン５と、端末に端子６とゴム栓７とを取り付けた電線８と、コルゲートチューブ２０（図４参照）とを備えて構成されている。以下、各構成について説明する。
【００３１】
まず、本発明に係るカバー２について説明する。
カバー２は、図１に図示するように、本体部９と、蓋部１０と、ヒンジ１１とを備えて構成されている。
本体部９は、図１に図示するように、ハウジング収容部１２と、電線導出部１３とを備えて構成されている。ハウジング収容部１２は、前面と後面とを開口し断面が略楕円形となる筒状に形成されている。ハウジング収容部１２は、この内部にハウジング３を収容可能に形成されている。
【００３２】
ハウジング収容部１２の後面側の周縁の所定位置には、ガイド部１４と、第１カバー係合部１８とが設けられている。
ガイド部１４は、本実施例では、図１に図示するように、本体部９に設けられた電線導出部１３の近傍位置に設けられている。ガイド部１４を設ける位置は、電線導出部１３の近傍位置に限られるものではない。例えば、後述するヒンジ１１の近傍位置に設けてもよいものとする（一例であるものとする）。
ガイド部１４は、本体部９と、蓋部１０とを嵌合する際に、後述するガイド受け部１５を案内する部分として設けられている。ガイド部１４は、本体部９と蓋部１０との嵌合方向（図１においては前後方向）に直交して外側（図１においては上方向）に突出して形成されている。ガイド部１４は、図６及び図８に図示するように、蓋部１０が本体部９との正規の嵌合位置からズレている場合であっても、後述するガイド受け部１５を拾うことが可能となるように上記外側に突出して形成されている。
【００３３】
ガイド部１４は、図１及び図６に図示するように、この内面に、ガイド部側テーパ面１６と、本体部の軸方向に平行な面１７とが形成されている。
ガイド部側テーパ面１６は、特許請求の範囲における、ガイド部に形成された「テーパ面」に相当するものである（以下、「ガイド部側テーパ面」という）。ガイド部側テーパ面１６は、後述するガイド受け部１５の先端が摺接する部分として形成されている。ガイド部側テーパ面１６は、本体部９と蓋部１０との嵌合方向（図１及び図６においては前後方向）に沿って外側（図１及び図６においては上方向）に向かって傾斜するテーパ状の面としてを形成されている。
本体部の軸方向に平行な面１７は、蓋部１０が本体部９との正規の嵌合位置からズレた状態で本体部９と嵌合しようとする場合に、後述するガイド受け部１５を拾うための部分として形成されている。本体部９の軸方向に平行な面１７は、ガイド部側テーパ面１６の先端に連成され、本体部９の軸方向（図１及び図６においては前後方向）に平行な面として形成されている。
【００３４】
第１カバー係合部１８は、本実施例では、図１に図示するように、ヒンジ１１の近傍位置に設けられている。第１カバー係合部１８を設ける位置は、ヒンジ１１の近傍位置に限られるものではない。第１カバー係合部１８は、後述する第１カバー被係合部１９に係合可能に形成されている。
【００３５】
電線導出部１３は、図１に図示するように、ハウジング収容部１２の左側部２３の後面側に連成され、本体部９の軸方向（図１においては前後方向）に直交するように突出して形成されている。電線導出部１３は、図７に図示するように、断面が略Ｕ字状に形成されている。電線導出部１３は、図４に図示するように、コルゲートチューブ２０の端部を取り付ける部分として形成されている。電線導出部１３の内面は、特に図示しないが、コルゲートチューブ２０の蛇腹状の外面に合わせて形成された複数条の電線導出部側コルゲートチューブ取り付け溝が設けられている。
【００３６】
電線導出部１３の両側壁の外面には、図７に図示するように、第２カバー係合部２１が設けられている。第２カバー係合部２１は、後述する第２カバー被係合部２２に係合可能に形成されている。
【００３７】
蓋部１０は、図１に図示するように、断面が略円弧状に形成され、本体部９と嵌合すると、本体部９の後面を覆うことができるような形状に形成されている。
蓋部１０には、ガイド受け部１５と、第１カバー被係合部１９と、第２カバー被係合部２２とが設けられている。
【００３８】
ガイド受け部１５は、図１及び図６に図示するように、蓋部１０の一方の側部の先端から、本体部９と蓋部１０との嵌合方向（図１及び図６においては前後方向）に突出して形成される板状の部分である。ガイド受け部１５の外面には、ガイド受け部側テーパ面２５と、ガイド受け部側当接面２６とが形成されている。
ガイド受け部側テーパ面２５は、特許請求の範囲における、ガイド受け部に形成された「テーパ面」に相当するものである（以下、「ガイド受け部側テーパ面」という）。ガイド受け部側テーパ面２５は、ガイド受け部１５の先端側に形成され、本体部９と蓋部１０との嵌合方向（図１及び図６においては前後方向）に沿ってガイド受け部１５の内面２７に向かって傾斜するテーパ状の面として形成されている。
ガイド受け部側当接面２６は、ガイド受け部１５の基端側に形成され、本体部９と蓋部１０とが嵌合したときに、本体部９のハウジング収容部１２の内面（以下、「ハウジング収容部側当接面２８」という）に当接することができるように形成されている。
【００３９】
第１カバー被係合部１９は、図１に図示するように、ヒンジ１１の近傍に設けられ、本体部９のハウジング収容部１２に設けられた第１カバー係合部１８に係合可能に形成されている。
第２カバー被係合部２２は、図１に図示するように、本体部９と蓋部１０とが嵌合したときに、本体部９の電線導出部１３に設けられた第２カバー係合部に対応する位置に設けられている。第２カバー被係合部２２は、第２カバー係合部に係合可能に形成されている。
【００４０】
蓋部１０の内面には、特に図示しないが、本体部９と蓋部１０とが嵌合したときに、本体部９の電線導出部１３の内面と対向する部分に、コルゲートチューブ２０の蛇腹状の外面に合わせて形成された複数条の蓋部側コルゲートチューブ取り付け溝が設けられている。
【００４１】
ヒンジ１１は、図１に図示するように、ハウジング収容部１２の右側部２４の後面側に連成され、本体部９と蓋部１０とを連結するように設けられている。ヒンジ１１は、本実施例では、本体部９と蓋部１０とを嵌合する際に、蓋部１０を、本体部９と蓋部１０との嵌合方向に回動するための回動軸として設けられている。
【００４２】
つぎに、ハウジング３について説明する。
ハウジング３は、図１−図３に図示するように、カバー２の本体部９のハウジング収容部１２内に組み付け可能な形状に形成されている。ハウジング３には、端子６を収容可能に形成されたキャビティ２９が設けられている。キャビティ２９には、図２及び図３に図示するように、端子６に係合可能に形成されたキャビティ側ランス３１が設けられている。また、キャビティ２９の底壁側には、フロントホルダ４を収容するためのフロントホルダ収容部３２が設けられている。
ハウジング３の前面は、雄コネクタを嵌合するためのコネクタ嵌合部として開口形成され、キャビティ２９に連通するように形成されている。また、ハウジング３の後面には、図２及び図３に図示するように、端子６をキャビティ２９に挿入するための端子挿入口３０が開口形成されている。端子挿入口３０は、キャビティ２９に連通するように形成されている。
【００４３】
つぎに、フロントホルダ４について説明する。
フロントホルダ４は、キャビティ２９のフロントホルダ収容部３２に対応する板状又は櫛歯状に形成されている（本実施例では、櫛歯状に形成されている）。
つぎに、パッキン５について説明する。
パッキン５は、ハウジング３の前面に装着可能に略円環状に形成されている。
【００４４】
つぎに、電線８について説明する。
電線８は、公知のものが用いられており、ここでは詳細な説明を省略する。本実施例では、図４に図示するように、複数本の電線８を備える構成となっているが、１本であってもよいものとする。
【００４５】
つぎに、端子６について説明する。
端子６は、特に限定するものではないが、本実施例では雌端子であり、電線８の端末に加締め付けられている。端子６は、ハウジング３のキャビティ２９に収容可能に形成されている。本実施例では、複数本の電線８を備える構成であるため、電線８の本数に対応して端子６を備えている。
【００４６】
つぎに、ゴム栓７について説明する。
ゴム栓７は、端子６に加締め付けられている。ゴム栓７は、ハウジング３の端子挿入口３０を封止する部材として設けられている。本実施例では、複数本の電線８を備える構成であるため、電線８の本数に対応してゴム栓７を備えている。電線８の本数が１本の場合は、ゴム栓７を１個、備えることになる。
【００４７】
つぎに、コルゲートチューブ２０について説明する。
コルゲートチューブ２０は、図４に図示するように、カバー２から導出された電線８を保護する部材として設けられている。コルゲートチューブ２０は、公知のものが用いられており、ここでは詳細な説明を省略する。
【００４８】
つぎに、カバー２とハウジング３との組み付け作業の手順について説明する。
まず、図１に図示する電線８の端末に装着された端子６を、ハウジング３の端子挿入口３０（図２参照）から挿入し、キャビティ２９に収容する。すると、端子６に、図２に図示するように、キャビティ２９のキャビティ側ランス３１が係合する。しかる後、フロントホルダ４を、図２に図示するように、キャビティ２９のフロントホルダ収容部３２に収容する。
そして、カバー２を、図２に図示する矢印Ｊが指示する方向に移動させ、ハウジング３をカバー２の本体部９のハウジング収容部１２に挿通させ、カバー２とハウジング３とを組み付ける。カバー２とハウジング３との組み付けは、図３に図示するように、ハウジング３の前面に、カバー２の前面が突き当たるまで行う。以上により、カバー２とハウジング３との組み付け作業が完了する。
【００４９】
つぎに、カバー２の本体部９と蓋部１０との嵌合作業の手順について説明する。
まず、本体部９と蓋部１０とを嵌合する前に、ハウジング３から導出する複数本の電線８を、図４に図示するように曲げ癖付けをする。そして、図４に図示するように、電線８のカバー２から導出する部分の外側にコルゲートチューブ２０を設けた後、コルゲートチューブ２０の一端をカバー２の本体部９の電線導出部１３に組み付ける。
しかる後、カバー２のヒンジ１１を回動軸として、カバー２の蓋部１０を、図４に図示する矢印Ｋが指示する方向に回動させる。
【００５０】
ここで、本体部９と蓋部１０とを嵌合させる途中でヒンジ１１に捩れが生じた場合について説明する。
上記の通り、ヒンジ１１に捩れが生じると、図５に図示するように、蓋部１０が本体部９との正規の嵌合位置からズレた状態で本体部９と嵌合しようとする。このとき、図６に図示するように、本体部９のガイド部１４の先端（本体部の軸方向に平行な面１７の先端）と、蓋部１０のガイド受け部１５のガイド受け部側テーパ面２５とが当接する。すなわち、本体部９のガイド部１４が蓋部１０のガイド受け部１５を拾うようになる。これにより、本体部９と蓋部１０との嵌合方向（図６においては前後方向）に直交する方向（図６においては上方向）への蓋部１０のズレが規制される。
【００５１】
このとき、蓋部１０の第２カバー被係合部２２は、図７に図示するように、第２カバー係合部２１との正規の係合位置にあるため、第２カバー被係合部２２の先端がコルゲートチューブ２０に当たることはない。
【００５２】
そして、図６に図示する蓋部１０を本体部９との嵌合方向（図６においては前後方向）に押し込むと、本体部９のガイド部１４の先端が蓋部１０のガイド受け部１５のガイド受け部側テーパ面２５に摺接する。そして、本体部９のガイド部１４の先端が蓋部１０のガイド受け部１５のガイド受け部側テーパ面２５を乗り越えた後、ガイド受け部１５のガイド受け部側テーパ面２５が、ガイド部１４のガイド部側テーパ面１６に摺接する。これにより、蓋部１０のガイド受け部１５の先端が本体部９のガイド部１４に案内され、蓋部１０が本体部９との正規の嵌合位置に補正される。しかる後、第１カバー係合部１８と第２カバー被係合部１９とが係合し、第２カバー係合部２１と第２カバー被係合部２２とが係合して、蓋部１０の回動が終了する。
このとき、ガイド受け部１５のガイド受け部側当接面２６は、図８に図示するように、本体部９のハウジング収容部側当接面２８に当接した状態となっている。本実施例のカバー２のように、蓋部１０にガイド受け部１５を設けることにより、ガイド受け部１５を設けない場合に比べて、蓋部１０の一部（ガイド受け部１５のガイド受け部側当接面２６）と、本体部９の一部（ハウジング収容部側当接面２８）とが面接触する範囲を増やすことができる。これにより、ハーネステンションが加わった時のカバーの歪みを抑制することができる。
以上により、カバー２の本体部９と蓋部１０との嵌合作業が完了する。
【００５３】
以上、図１−図８を参照しながら説明してきたように、本発明によれば、カバー２の本体部９と蓋部１０とを嵌合する際に、蓋部９の第２カバー被係合部２２の先端がコルゲートチューブ２０に当たらないように配慮しなくても作業を行うことができる。したがって、本体部９と蓋部１０とを嵌合する際の作業性を良好なものとすることができるという効果を奏する。
【００５４】
また、本発明によれば、ガイド受け部１５と本体部１０の一部（ハウジング収容部側当接面２８）とが面接触する範囲を増やすことができることにより、ハーネステンションが加わった時のカバー２の歪みを抑制することができる。したがって、カバー２の歪みによりカバー２がハウジング３から外れるのを防止することができるという効果を奏する。
【実施例２】
【００５５】
本発明に係るカバーは、実施例１の他、下記の実施例２を用いてもよいものとする。
図９には、本発明に係るカバーの実施例２が示されている。
図９（ａ）は本発明のカバーの実施例２を示す斜視図、図９（ｂ）は（ａ）における破線Ｎで囲んだヒンジの拡大平面図であるである。
なお、図中の矢印は、前後、左右の各方向を示している（矢印の各方向は一例であるものとする）。
【００５６】
本実施例に係るカバー４０は、図９に図示するヒンジ４１以外は、実施例１で説明したカバー２（図１参照）と同様の構成及び構造であるものとする。したがって、本実施例では、カバー４０について、ヒンジ４１以外の部分の説明を省略する。
本実施例においてヒンジ４１は、このヒンジ４１の本体部９と蓋部１０とに跨がる幅方向（図９（ａ）においては左右方向）の一端から他端までをヒンジ４１の厚み方向（図９（ａ）においては前後方向）に起伏する形状となるように形成されている（以下、この起伏する形状となる部分を「起伏する部分」という）。
ヒンジ４１の起伏する部分４２は、本実施例では、図９（ｂ）に図示するように、略円弧状の湾曲形状が一定の周期で連続する波形に形成されているが、これに限定されるものではない。その他、例えば、略円弧状の湾曲形状に換えて、稲妻形に形成されていてもよいものとする。また、起伏する部分４２の先端位置の高さは一定でもあっても異なっていてもよいものとする。また、起伏する部分４２が連続する周期も一定でなくてもよいものとする。
【００５７】
以上、図９を参照しながら説明してきたように、本発明によれば、ヒンジ４１に起伏する部分４２を設けることでヒンジ４１の剛性を増すことができ、ヒンジ４１の捩れを抑制し、蓋部１０と本体部９とを、より確実に正規の嵌合位置で嵌合することができる。これにより、蓋部１０と本体部９とが嵌合する際に、蓋部１０の第２カバー被係合部２２の先端がコルゲートチューブ２０に、より確実に当たりにくくなる。このことから、本体部９と蓋部１０とを嵌合する際に、蓋部１０の第２カバー被係合部２２の先端がコルゲートチューブ２０に当たらないように配慮しなくても作業を行うことができる。したがって、本体部９と蓋部１０とを嵌合する際の作業性を、より向上することができるという効果を奏する。
【００５８】
また、本発明によれば、ヒンジ４１に起伏する部分４２を設けることで起伏する部分４２を設けていないヒンジに比べてヒンジ４１の全長が長くなり、応力を拡散させることができる。これにより、ヒンジ４１に歪みが生じるのを抑制することができる。したがって、ヒンジ４１が歪みに起因して折損するのを防止することができるという効果を奏する。
【実施例３】
【００５９】
本発明に係るカバーは、実施例１、２の他、下記の実施例３を用いてもよいものとする。
図１０−図１３には、本発明に係るカバーの実施例３が示されている。
図１０は本発明のカバーの実施例３を示す斜視図、図１１はカバーの本体部と蓋部の嵌合作業を説明するコネクタの断面図であって、当接部がゴム栓に当接する前の状態を示す断面図、図１２はカバーの本体部と蓋部の嵌合作業を説明するコネクタの断面図であって、当接部がゴム栓に当接した状態を示す断面図、図１３はカバーの本体部と蓋部の嵌合作業を説明するコネクタの断面図であって、本体部と蓋部とが嵌合した状態を示す断面図である。
なお、図中の矢印は、前後方向を示している（矢印の各方向は一例であるものとする）。
【００６０】
本実施例に係るカバー５０は、図１０に図示する当接部５１以外は、実施例１で説明したカバー２（図１参照）と同様の構成及び構造であるものとする。したがって、本実施例では、カバー５０について、当接部５１以外の部分の説明を省略する。
カバー５０の蓋部１０の内面には、図１０に図示するように、当接部５１がカバーの軸方向（図１０においては前後方向）に突出するように設けられている。当接部５１は、本体部９と蓋部１０とが嵌合した状態において、図１１−図１３に図示するゴム栓７に当接部５１の先端が常に当接するように設けられている。当接部５１は、本体部９と蓋部１０とが嵌合した状態において、ゴム栓７を押し付けて当接するように設けられている。図１１−図１３に図示するゴム栓７が複数、設けられる場合において、全てのゴム栓に当接するように設けられている（これに限定されるものではない。例えば、複数、設けられたゴム栓７のうちの１つに当接するように設けられていてもよいものとする。また、ゴム栓７が１個設けられる場合においては、１個のゴム栓に当接するように設けられている）。
【００６１】
ここで、カバー２の本体部９と蓋部１０との嵌合作業の手順について説明する。なお、カバー２とハウジング３との組み付け作業は、実施例１と同様であるので、説明を省略する。
まず、図１０に図示するカバー５０のヒンジ１１を回動軸として、蓋部１０を図１１に図示する状態まで回動する。ここで、図１１及び図１２に図示する端子６は中途挿入状態になっている。そのため、端子６に取り付けられたゴム栓７は、この後面が電線挿入口３０の後面から突出した状態となっている。
そして、蓋部１０を、さらに本体部９との嵌合方向（図１１においては前方向）に回動すると、図１２に図示するように、当接部５１の先端がゴム栓７の後面に当接する。
【００６２】
しかる後、蓋部１０を、さらに本体部９との嵌合方向（図１１においては前方向）に回動し、第１カバー係合部１８（図１０参照）と第２カバー被係合部１９（図１０参照）とを係合し、第２カバー係合部２１（図１０参照）と第２カバー被係合部２２（図１０参照）とを係合して、本体部９と蓋部１０との嵌合が完了する。
本体部９と蓋部１０とを嵌合すると、当接部５１の先端がゴム栓７の後面に当接しているため、ゴム栓７は、 図１３に図示するように、当接部５１の先端によって、図１３に図示する矢印Ｐが指示する方向に押圧される。すると、端子６も図１３に図示する矢印Ｐが指示する方向に押圧され、キャビティ２９における端子６の正規の位置に補正される。
【００６３】
以上、図１０−図１３を参照しながら説明してきたように、本発明によれば、実施例１と同様の効果を奏する他、蓋部１０の内側に当接部５１を設けることにより、端子６の中途挿入を防止することができるという効果を奏する。
【００６４】
また、本発明によれば、蓋部１０を本体部９に嵌合するときに、当接部５１がゴム栓７を押しつけることにより、端子６が中途挿入状態にあることを検知できるため、フロントホルダが不要となる。したがって、部品点数や組み付けサイクルを低減することにより、コストを低減することができるという効果を奏する。
【００６５】
さらに、本発明によれば、１０蓋部を本体部９に嵌合すると、当接部５１が常にゴム栓７を押しつけているため、コネクタ１に振動が加わってもカバー５０のガタ付きを防止することができる。したがって、カバー５０のガタ付きに起因する異音の発生を防止することができるという効果を奏する。
【実施例４】
【００６６】
本発明に係るカバーは、実施例１−３の他、下記の実施例４を用いてもよいものとする。
図１４−図１８には、本発明に係るカバーの実施例４が示されている。
図１４は、本発明のカバーを備えるコネクタの実施例４を示す分解斜視図、図１５はコネクタハウジングとカバーとを組み付ける作業を説明する断面図、図１６はコネクタハウジングとカバーとを組み付けた状態を示す断面図、図１７は実施例４のコネクタと相手コネクタとの嵌合作業を説明する断面図であって、実施例４のコネクタと相手コネクタとが嵌合する前の状態を示す断面図、図１８は実施例４のコネクタと相手コネクタとの嵌合作業を説明する断面図であって、実施例４のコネクタと相手コネクタとが嵌合した状態を示す断面図である。
【００６７】
本実施例に係るコネクタ６０を構成するカバー６１は、図１４−図１８に図示する係合突起６３以外は、実施例１で説明したカバー２（図１参照）と同様の構成及び構造であるものとする。したがって、本実施例では、カバー６１について、係合突起６３以外の部分の説明を省略する。
さらに、本実施例に係るハウジング６２は、図１４−図１８に図示する被係合部６４以外は、実施例１で説明したハウジング３（図１参照）と同様の構成及び構造であるものとする。したがって、本実施例では、ハウジング６２について、被係合部６４以外の部分の説明を省略する。
【００６８】
カバー６１には、図１４−図１８に図示するように、係合突起６３が設けられている。係合突起６３は、本体部９のハウジング収容部１２の上面に設けられ、後述するハウジング６２の被係合部６４に係合可能に設けられている。
ハウジング６２の上面には、図１４−図１８に図示するように、被係合部６４が設けられている。また、ハウジング６２には、図１５に図示するように、後述する相手コネクタ７０の被係合部７２に係合可能に形成される係合アーム６５が設けられている。
【００６９】
つぎに、カバー６１とハウジング６２との組み付け作業の手順について説明する。
カバー６１とハウジング６２との組み付け作業は、実施例１におけるカバー２とハウジング３との組み付け作業と基本的に同様である。実施例１と異なる点は、カバー６１を、図１５に図示する矢印Ｑが指示する方向に移動させ、カバー６１とハウジング６２とを組み付けると、図１６に図示するように、カバー６１の係合突起６３と、ハウジング６２の被係合部６４とが係合する点である。すなわち、本実施例によれば、カバー６１の本体部９とハウジング６２とを仮係合状態にすることができる。これにより、奥行き方向（図１４−図１８においては前後方向）のガタは、カバー６１とハウジング６２の２部品間とすることができ、蓋部１０が本体部９に嵌合されても上記奥行き方向のガタがさらに増えることはない。
以上により、カバー６１とハウジング６２とを組み付ける作業が完了する。
【００７０】
つぎに、コネクタ６０と相手コネクタ７０との嵌合作業について説明する。
相手コネクタ７０は、コネクタ６０の接続相手となるコネクタであって、本実施例では、雄コネクタであるものとする。
コネクタ６０は、カバー６１の本体部９と蓋部１０とを嵌合した後、コネクタ６０を図１７に図示する矢印Ｒが指示する方向に移動させ、相手コネクタ７０との嵌合作業を開始する。ここで、カバー６１の前面（図１７に図示する仮想線Ｓで示す面）が、相手コネクタ７０のカバー当接面７１に当接しても、ハウジング６２の被係合部６４には、カバー６３の係合突起６３が係合しているため、ハウジング６２は、図１８に図示する矢印Ｔが指示する方向に後退することがない。これにより、ハウジング６２の係合アーム６５を相手コネクタ７０の相手コネクタ側被係合部７２に確実に係合することができる。
以上により、コネクタ６０と相手コネクタ７０との嵌合作業が完了する。
【００７１】
以上、図１４−図１８を参照しながら説明してきたように、本発明によれば、実施例１と同様の効果を奏する他、奥行き方向のガタを抑制することにより、コネクタ６０の係合アーム６５を相手コネクタ７０の被係合部７２に確実に係合することができるという効果を奏する。
また、本発明によれば、相手コネクタ７０との嵌合が確実に行われることによって、相手コネクタ７０との嵌合が外れてしまうことを防止することができるという効果を奏する。
【００７２】
この他、本発明は本発明の主旨を変えない範囲で種々変更実施可能なことは勿論である。
【００７３】
上記実施例１−４の説明では、カバー２，４０，５０，６１の本体部９にガイド部１４を設け、蓋部１０にガイド受け部１５を設ける構成であったが、これに限らず、本体部９にガイド部受け部１５を設け、蓋部１０にガイド部１４を設ける構成にしてもよいものとする。
【００７４】
また、上記実施例１−４の説明では、カバー２，４０，５０，６１の本体部９と蓋部１０とは、ヒンジ１１，４１で連結され、一体になっている構成であったが、これに限らず、本体部９と蓋部１０とが別体のとなる構成であってもよいものとする。
【００７５】
さらに、上記実施例４の説明では、カバー６１に係合突起６３を設け、ハウジング６２に被係合部６４を設ける構成であったが、これに限らず、カバー６１に被係合部６４を設け、ハウジング６２に係合突起６３を設ける構成であってもよいものとする。
【符号の説明】
【００７６】
１，６０…コネクタ、  ２，４０，５０，６１…カバー、  ３，６２…ハウジング、  ４…フロントホルダ、  ５…パッキン、  ６…端子、  ７…ゴム栓、  ８…電線、  ９…本体部、  １０…蓋部、  １１，４１…ヒンジ、  １２…ハウジング収容部、  １３…電線導出部、  １４…ガイド部、  １５…ガイド受け部、  １６…ガイド部側テーパ面（テーパ面）、  １７…本体部の軸方向に平行な面、  １８…第１カバー係合部、  １９…第１カバー被係合部、  ２０…コルゲートチューブ、  ２１…第２カバー係合部、  ２２…第２カバー被係合部、  ２３…左側壁、  ２４…右側壁、  ２５…ガイド受け部側テーパ面（テーパ面）、  ２６…ガイド受け部側当接面、  ２７…内面、  ２８…ハウジング収容部側当接面、  ２９…キャビティ、  ３０…端子挿入口、  ３１…キャビティ側ランス、  ３２…フロントホルダ収容部、  ４２…起伏する部分、  ５１…当接部、  ６３…係合突起、  ６４…被係合部、  ７０…相手コネクタ、  ７１…カバー当接面、  ７２…相手コネクタ側被係合部
【図１】
2016103375.tif 000003
【図２】
2016103375.tif 000004
【図３】
2016103375.tif 000005
【図４】
2016103375.tif 000006
【図５】
2016103375.tif 000007
【図６】
2016103375.tif 000008
【図７】
2016103375.tif 000009
【図８】
2016103375.tif 000010
【図９】
2016103375.tif 000011
【図１０】
2016103375.tif 000012
【図１１】
2016103375.tif 000013
【図１２】
2016103375.tif 000014
【図１３】
2016103375.tif 000015
【図１４】
2016103375.tif 000016
【図１５】
2016103375.tif 000017
【図１６】
2016103375.tif 000018
【図１７】
2016103375.tif 000019
【図１８】
2016103375.tif 000020
【図１９】
2016103375.tif 000021
【図２０】
2016103375.tif 000022
【図２１】
2016103375.tif 000023
【図２２】
2016103375.tif 000024
【図２３】
2016103375.tif 000025
【図２４】
2016103375.tif 000026
【図２５】
2016103375.tif 000027
【図２６】
2016103375.tif 000028
【図２７】
2016103375.tif 000029
【手続補正書】
【提出日】平成28年2月17日(2016.2.17)
【手続補正１】
【補正対象書類名】明細書
【補正対象項目名】０００４
【補正方法】変更
【補正の内容】
【０００４】
カバー１０２は、図１９に図示するように、本体部１１１と、蓋部１１２と、ヒンジ１１３とを備えてなり略筒状に形成されている。
本体部１１１は、図１９に図示するように、両端が開口した略筒状に形成されている。本体部１１１の後面の開口周縁には電線導出部１１５が連続して形成されている。電線導出部１１５の両側壁のそれぞれには、第１カバー係合部１１６が突出して設けられている。その他に、本体部１１１の後面の開口周縁には、第２カバー係合部１１７が設けられている。
蓋部１１２は、図１９に図示するように、断面円弧状に形成され、本体部１１１の後面を覆うことができるような形状に形成されている。蓋部１１２には、本体部１１１の第１カバー係合部１１６に係合可能な位置に配置形成された第１カバー被係合部１１８と、本体部１１１の第２カバー係合部１１７に係合可能な位置に配置形成された第２カバー被係合部１１９とが設けられている。
ヒンジ１１３は、図１９に図示するように、本体部１１１と、蓋部１１２とを連結するように形成されている。ヒンジ１１３は、本体部１１１と、蓋部１１２とを嵌合する際の回動軸として設けられている。
【手続補正２】
【補正対象書類名】明細書
【補正対象項目名】００５２
【補正方法】変更
【補正の内容】
【００５２】
そして、図６に図示する蓋部１０を本体部９との嵌合方向（図６においては前後方向）に押し込むと、本体部９のガイド部１４の先端が蓋部１０のガイド受け部１５のガイド受け部側テーパ面２５に摺接する。そして、本体部９のガイド部１４の先端が蓋部１０のガイド受け部１５のガイド受け部側テーパ面２５を乗り越えた後、ガイド受け部１５のガイド受け部側テーパ面２５が、ガイド部１４のガイド部側テーパ面１６に摺接する。これにより、蓋部１０のガイド受け部１５の先端が本体部９のガイド部１４に案内され、蓋部１０が本体部９との正規の嵌合位置に補正される。しかる後、第１カバー係合部１８と第２カバー被係合部１９とが係合し、第２カバー係合部２１と第２カバー被係合部２２とが係合して、蓋部１０の回動が終了する。
このとき、ガイド受け部１５のガイド受け部側当接面２６は、図８に図示するように、本体部９のハウジング収容部側当接面２８に当接した状態となっている。本実施例のカバー２のように、蓋部１０にガイド受け部１５を設けることにより、ガイド受け部１５を設けない場合に比べて、蓋部１０の一部（ガイド受け部１５のガイド受け部側当接面２６）と、本体部９の一部（ハウジング収容部側当接面２８）とが面接触する範囲を増やすことができる。これにより、ハーネステンションが加わった時のカバー２の歪みを抑制することができる。
以上により、カバー２の本体部９と蓋部１０との嵌合作業が完了する。
【手続補正３】
【補正対象書類名】明細書
【補正対象項目名】００５３
【補正方法】変更
【補正の内容】
【００５３】
以上、図１−図８を参照しながら説明してきたように、本発明によれば、カバー２の本体部９と蓋部１０とを嵌合する際に、蓋部１０の第２カバー被係合部２２の先端がコルゲートチューブ２０に当たらないように配慮しなくても作業を行うことができる。したがって、本体部９と蓋部１０とを嵌合する際の作業性を良好なものとすることができるという効果を奏する。
【手続補正４】
【補正対象書類名】明細書
【補正対象項目名】００５４
【補正方法】変更
【補正の内容】
【００５４】
また、本発明によれば、ガイド受け部１５と本体部９の一部（ハウジング収容部側当接面２８）とが面接触する範囲を増やすことができることにより、ハーネステンションが加わった時のカバー２の歪みを抑制することができる。したがって、カバー２の歪みによりカバー２がハウジング３から外れるのを防止することができるという効果を奏する。
【手続補正５】
【補正対象書類名】明細書
【補正対象項目名】００６０
【補正方法】変更
【補正の内容】
【００６０】
本実施例に係るカバー５０は、図１０に図示する当接部５１以外は、実施例１で説明したカバー２（図１参照）と同様の構成及び構造であるものとする。したがって、本実施例では、カバー５０について、当接部５１以外の部分の説明を省略する。
カバー５０の蓋部１０の内面には、図１０に図示するように、当接部５１がカバー５０の軸方向（図１０においては前後方向）に突出するように設けられている。当接部５１は、本体部９と蓋部１０とが嵌合した状態において、図１１−図１３に図示するゴム栓７に当接部５１の先端が常に当接するように設けられている。当接部５１は、本体部９と蓋部１０とが嵌合した状態において、ゴム栓７を押し付けて当接するように設けられている。図１１−図１３に図示するゴム栓７が複数、設けられる場合において、全てのゴム栓７に当接するように設けられている（これに限定されるものではない。例えば、複数、設けられたゴム栓７のうちの１つに当接するように設けられていてもよいものとする。また、ゴム栓７が１個設けられる場合においては、１個のゴム栓７に当接するように設けられている）。
【手続補正６】
【補正対象書類名】明細書
【補正対象項目名】００６１
【補正方法】変更
【補正の内容】
【００６１】
ここで、カバー５０の本体部９と蓋部１０との嵌合作業の手順について説明する。なお、カバー５０とハウジング３との組み付け作業は、実施例１と同様であるので、説明を省略する。
まず、図１０に図示するカバー５０のヒンジ１１を回動軸として、蓋部１０を図１１に図示する状態まで回動する。ここで、図１１及び図１２に図示する端子６は中途挿入状態になっている。そのため、端子６に取り付けられたゴム栓７は、この後面が電線挿入口３０の後面から突出した状態となっている。
そして、蓋部１０を、さらに本体部９との嵌合方向（図１１においては前方向）に回動すると、図１２に図示するように、当接部５１の先端がゴム栓７の後面に当接する。
【手続補正７】
【補正対象書類名】明細書
【補正対象項目名】００６５
【補正方法】変更
【補正の内容】
【００６５】
さらに、本発明によれば、蓋部１０を本体部９に嵌合すると、当接部５１が常にゴム栓７を押しつけているため、コネクタ１に振動が加わってもカバー５０のガタ付きを防止することができる。したがって、カバー５０のガタ付きに起因する異音の発生を防止することができるという効果を奏する。
【手続補正８】
【補正対象書類名】明細書
【補正対象項目名】００６８
【補正方法】変更
【補正の内容】
【００６８】
カバー６１には、図１４−図１８に図示するように、係合突起６３が設けられている。係合突起６３は、本体部９のハウジング収容部１２の上面に設けられ、後述するハウジング６２の被係合部６４に係合可能に設けられている。
ハウジング６２の上面には、図１４−図１８に図示するように、被係合部６４が設けられている。また、ハウジング６２には、図１８に図示するように、後述する相手コネクタ７０の被係合部７２に係合可能に形成される係合アーム６５が設けられている。
【手続補正９】
【補正対象書類名】明細書
【補正対象項目名】００７０
【補正方法】変更
【補正の内容】
【００７０】
つぎに、コネクタ６０と相手コネクタ７０との嵌合作業について説明する。
相手コネクタ７０は、コネクタ６０の接続相手となるコネクタであって、本実施例では、雄コネクタであるものとする。
コネクタ６０は、カバー６１の本体部９と蓋部１０とを嵌合した後、コネクタ６０を図１７に図示する矢印Ｒが指示する方向に移動させ、相手コネクタ７０との嵌合作業を開始する。ここで、カバー６１の前面（図１７に図示する仮想線Ｓで示す面）が、相手コネクタ７０のカバー当接面７１に当接しても、ハウジング６２の被係合部６４には、カバー６１の係合突起６３が係合しているため、ハウジング６２は、図１８に図示する矢印Ｔが指示する方向に後退することがない。これにより、ハウジング６２の係合アーム６５を相手コネクタ７０の相手コネクタ側被係合部７２に確実に係合することができる。
以上により、コネクタ６０と相手コネクタ７０との嵌合作業が完了する。